(57)【要約】ガラス扉等の薄い扉の小口に関節継手が収容される凹部を有する扉側部材を取り付けることが可能なヒンジ及びヒンジ用ブラケットを提供する。本発明のヒンジ（１）は、本体（３）に取り付けられる本体側部材（５）と、扉（２）に取り付けられ、本体側部材（５）に関節継手（６）を介して回転可能に連結され、関節継手（６）の少なくとも一部が収容される凹部（７ｂ）を有する扉側部材（４）と、を備える。扉側部材（４）は、外郭部（２６）と、外郭部（２６）から張り出す第一挟持片（２７）と、扉（２）の厚み方向における外郭部（２６）の範囲内において、第一挟持片（２７）との間で扉（２）を厚さ方向に挟む第二挟持片（２８）と、を備える。
2017038228.tif 000002
【特許請求の範囲】
【請求項１】
本体に取り付けられる本体側部材と、
扉に取り付けられ、前記本体側部材に関節継手を介して回転可能に連結され、前記関節継手の少なくとも一部が収容される凹部を有する扉側部材と、を備えるヒンジにおいて、
前記扉側部材は、外郭部と、前記外郭部から張り出す第一挟持片と、前記扉の厚み方向における前記外郭部の範囲内において、前記第一挟持片との間で前記扉を前記厚さ方向に挟む第二挟持片と、を備えるヒンジ。
【請求項２】
前記関節継手は少なくとも、
一端部が前記本体側部材に回転可能に連結され、他端部が前記扉側部材に回転可能に又は他端部が前記扉側部材に第一補助リンクを介して連結される第一リンクと、
一端部が前記扉側部材に回転可能に連結され、他端部が前記本体側部材に回転可能に又は他端部が前記本体側部材に第二補助リンクを介して連結される第二リンクと、を備え、
前記第一リンクと前記第二リンクとが互いに回転可能に連結されることを特徴とする請求項１に記載のヒンジ。
【請求項３】
前記関節継手は、先端部が前記本体側部材に固定され、基端部が前記扉側部材に回転可能に連結されるアームを備えることを特徴とする請求項１に記載のヒンジ。
【請求項４】
前記第二挟持片が締結部材によって前記第一挟持片に締結されることを特徴とする請求項１ないし３のいずれか１項に記載のヒンジ。
【請求項５】
前記第一挟持片と前記扉との間には、第一スペーサが介在し、
前記第二挟持片と前記扉との間には、第二スペーサが介在することを特徴とする請求項１ないし４のいずれか１項に記載のヒンジ。
【請求項６】
前記扉側部材は、前記凹部を有する扉側部材本体と、前記外郭部、前記第一挟持片及び前記第二挟持片を有するブラケットと、を備え、
前記扉側部材本体が前記外郭部に収容されると共に、締結部材によって前記外郭部に締結されることを特徴とする請求項１ないし５のいずれか１項に記載のヒンジ。
【請求項７】
本体に取り付けられる本体側部材と、扉に取り付けられ、前記本体側部材に関節継手を介して回転可能に連結され、前記関節継手の少なくとも一部が収容される凹部を有する扉側部材本体と、を備えるヒンジの、前記扉側部材本体に取り付けられるブラケットであって、
前記ブラケットは、前記扉側部材本体が収容され、締結部材によって前記扉側部材本体に締結される外郭部と、前記外郭部から張り出す第一挟持片と、前記扉の厚み方向における前記外郭部の範囲内において、前記第一挟持片との間で前記扉を前記厚さ方向に挟む第二挟持片と、を備えるヒンジ用ブラケット。
【発明の詳細な説明】
【技術分野】
【０００１】
本発明は、本体に対して扉を開閉可能にするヒンジ及びこのヒンジが取り付けられるヒンジ用ブラケットに関する。
【背景技術】
【０００２】
ヒンジは、家具、建築物等の本体に取り付けられる本体側部材と、本体側部材に関節継手を介して回転可能に連結され、扉に取り付けられる扉側部材と、を備える。関節継手の構成は様々であるが、本体に対する扉の開き角度を大きくしたり、及び／又は扉を前方に移動させながら開き、本体と扉との干渉を避けるようにしたりするために、関節継手を少なくとも二つのリンクから構成するヒンジが知られている（例えば特許文献１参照）。【０００３】
特許文献１に記載のヒンジにおいて、各リンクの両端部は、本体側部材及び扉側部材に回転可能に連結される。本体側部材及び扉側部材には、関節継手の少なくとも一部が収容される凹部が設けられる。扉の閉じ位置において、関節継手は、扉側部材の凹部及び本体側部材の凹部に収容される。特許文献１に記載のヒンジによれば、扉の閉じ位置において、関節継手を隠すことができるので、扉のデザイン性が向上し、また防犯性が向上する。
【先行技術文献】
【特許文献】
【０００４】
【特許文献１】実開平６−３７４７９号公報
【発明の概要】
【発明が解決しようとする課題】
【０００５】
ところで、特許文献１に記載のヒンジにあっては、本体側部材及び扉側部材に関節継手の少なくとも一部が収容される凹部が設けられるので、本体側部材及び扉側部材の横幅（扉の厚さ方向の幅）が大きくなり易いという課題がある。このため、ガラス扉等の薄い扉の小口（扉の側面）に扉側部材を取り付けるのが困難である。【０００６】
そこで本発明は、ガラス扉等の薄い扉の小口に関節継手が収容される凹部を有する扉側部材を取り付けることが可能なヒンジ及びヒンジ用ブラケットを提供することを目的とする。
【課題を解決するための手段】
【０００７】
上記課題を解決するために、本発明の一態様は、本体に取り付けられる本体側部材と、扉に取り付けられ、前記本体側部材に関節継手を介して回転可能に連結され、前記関節継手の少なくとも一部が収容される凹部を有する扉側部材と、を備えるヒンジにおいて、前記扉側部材は、外郭部と、前記外郭部から張り出す第一挟持片と、前記扉の厚み方向における前記外郭部の範囲内において、前記第一挟持片との間で前記扉を前記厚さ方向に挟む第二挟持片と、を備えるヒンジである。【０００８】
本発明の他の態様は、本体に取り付けられる本体側部材と、扉に取り付けられ、前記本体側部材に関節継手を介して回転可能に連結され、前記関節継手の少なくとも一部が収容される凹部を有する扉側部材本体と、を備えるヒンジの、前記扉側部材本体に取り付けられるブラケットであって、前記ブラケットは、前記扉側部材本体が収容され、締結部材によって前記扉側部材本体に締結される外郭部と、前記外郭部から張り出す第一挟持片と、前記扉の厚み方向における前記外郭部の範囲内において、前記第一挟持片との間で前記扉を前記厚さ方向に挟む第二挟持片と、を備えるヒンジ用ブラケットである。
【発明の効果】
【０００９】
本発明によれば、ガラス扉等の扉の小口に関節継手の少なくとも一部が収容される凹部を有する扉側部材又は扉側部材本体を取り付けることができる。
【図面の簡単な説明】
【００１０】
【図１】本発明の第一の実施形態のヒンジが取り付けられる建築物又は家具の拡大斜視図である（扉が閉じ位置にある状態）。
【図２】上記実施形態のヒンジが取り付けられる建築物又は家具の拡大斜視図である（扉が開き位置にある状態）。
【図３】上記実施形態のヒンジの分解斜視図である。
【図４】上記実施形態のヒンジの水平断面図である。
【図５】上記実施形態のヒンジの外郭部及び第一挟持片の詳細図である（図５（ａ）は図５（ｃ）のＡ−Ａ線断面図、図５（ｂ）は平面図、図５（ｃ）は正面図、図５（ｄ）は底面図、図５（ｅ）は側面図である）。
【図６】本発明の第二の実施形態のヒンジが取り付けられる建築物又は家具の拡大斜視図である（扉が閉じ位置にある状態）。
【図７】本発明の第二の実施形態のヒンジが取り付けられる建築物又は家具の拡大斜視図である（扉が開き位置にある状態）。
【図８】本発明の第三の実施形態のヒンジが取り付けられる建築物又は家具の拡大斜視図である（扉が開き位置にある状態）。
【図９】本発明の第三の実施形態のヒンジの斜視図である（扉が開き位置にある状態）。
【図１０】本発明が適用可能な１軸タイプのヒンジの斜視図である。
【図１１】図１０のヒンジの回転軸に直交する断面図である。
【発明を実施するための形態】
【００１１】
以下、添付図面に基づいて、本発明の実施形態のヒンジを詳細に説明する。ただし、本発明のヒンジは、種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１２】
図１及び図２は、本発明の第一の実施形態のヒンジ１が取り付けられる建築物又は家具の斜視図を示す。図１は扉２の閉じ位置を示し、図２は扉２の開き位置を示す。なお、以下においては、説明の便宜上、特に明示がない限り、扉２を正面から見たときの方向、すなわち図１に示す上下、左右、前後の各方向を用いて、ヒンジ１の構成を説明する。もちろん、ヒンジ１はこのような配置に限られるものではない。
【００１３】
図２に示すように、ヒンジ１は、本体としての枠３の内面に取り付けられる本体側部材５と、扉２に取り付けられる扉側部材４と、を備える。枠３の内面には、例えば縦長長円形状の掘込み３ａが設けられる。本体側部材５は、枠３の掘込み３ａに収容される。扉側部材４は、関節継手６を介して本体側部材５に回転可能に連結される扉側部材本体７と、扉側部材本体７が収容されるブラケット８と、を備える。ブラケット８には、ガラス扉等の扉２が取り付けられる。
【００１４】
関節継手６は、一端部が本体側部材５に回転可能に連結され、他端部が扉側部材本体７に第一補助リンク２２を介して連結される第一リンク２１と、一端部が扉側部材本体７に回転可能に連結され、他端部が第二補助リンク２４を介して本体側部材５に連結される第二リンク２３と、を備える。関節継手６は、図１に示す閉じ位置から図２に示す開き位置まで扉２が垂直軸の回りを略１８０°回転するのを許容する。関節継手６は、扉２と枠３との干渉を避けるように、扉２を前方に移動させながら扉２を開く。ヒンジ１には、扉２の上下、左右、前後方向の位置を微調整するための調整ねじ３１ａ，３１ｂ〜３３ａ，３３ｂが組み込まれる（図３参照）。調整ねじ３１ａ，３１ｂ〜３３ａ，３３ｂは、本体側部材５及び扉側部材本体７の上下方向の両端部の例えば縦長半長円形状のねじカバー３４ａ〜３４ｄで覆われる。
【００１５】
図３は、本発明の第一の実施形態のヒンジ１の分解斜視図を示す。上記のように、ヒンジ１は、本体側部材５と、本体側部材５に関節継手６を介して回転可能に連結される扉側部材本体７と、を備える。本体側部材５は、縦長であり、上下方向の両端部にフランジ５ａを有する。フランジ５ａには、通し孔が設けられる。本体側部材５は、ねじ等の締結部材（図示せず）によって枠３に取り付けられる。扉側部材本体７も、本体側部材５と同様に縦長であり、上下方向の両端部にフランジ７ａを有する。フランジ７ａには、通し孔が設けられる。扉側部材本体７は、ねじ等の締結部材２５によってブラケット８に取り付けられる。ブラケット８の構成は後述する。
【００１６】
図４の水平断面図に示すように、関節継手６は、第一リンク２１、第一補助リンク２２、第二リンク２３、第二補助リンク２４を備える。第一リンク２１は、その一端部が本体側部材５に回転可能に連結され、その他端部が第一補助リンク２２に回転可能に連結される。第一補助リンク２２は、その一端部が第一リンク２１に回転可能に連結され、その他端部が扉側部材本体７に回転可能に連結される。第二リンク２３は、その一端部が扉側部材本体７に回転可能に連結され、その他端部が第二補助リンク２４に回転可能に連結される。第二補助リンク２４は、その一端部が第二リンク２３に回転可能に連結され、その他端部が本体側部材５に回転可能に連結される。第一リンク２１の中央部と第二リンク２３の中央部とは、互いに回転可能に連結される。関節継手６は、四節回転連鎖を２つ組み合わせて構成されており、合計７つの軸を持つ。
【００１７】
なお、関節継手６の構成は上記実施形態に限定されるものではなく、他の構成を採用し得る。例えば、第一及び第二補助リンク２２，２４を設ける替わりに、第一リンク２１の他端部を直接的に扉側部材本体７に回転可能にかつスライド可能に連結し、第二リンク２３の他端部を直接的に本体側部材５に回転可能にかつスライド可能に連結することもできる。この場合、関節継手６は、合計５つの軸を持つ。また、第一及び第二補助リンク２２，２４を設ける替わりに、第一リンク２１の両端部を直接的に本体側部材５及び扉側部材本体７に回転可能にかつスライド可能に連結し、第二リンク２３の両端部を直接的に本体側部材５及び扉側部材本体７に回転可能に連結することもできる。第一リンク２１と第二リンク２３とは互いに回転可能に連結される。この場合、関節継手６は、合計５つの軸を持つ。さらに、関節継手を軸７４の回りを回転するアーム７３から構成することができる（図１０及び図１１参照）。この場合、関節継手は１つの軸７４を持つ。一軸タイプの関節継手については後述する。
【００１８】
図４に示すように、本体側部材５には、箱形状の凹部５ｂが設けられていて、この凹部５ｂに関節継手６の一部が収容される。同様に、扉側部材本体７には、箱形状の凹部７ｂが設けられていて、この凹部７ｂに関節継手６の一部が収容される。図１に示す扉２の閉じ位置において、本体側部材５と扉側部材本体７とが対向する（図２に示すように、扉２の開き位置において、本体側部材５の端面５ｃと扉側部材本体７の端面７ｃとが実質的に同一平面にある状態から扉側部材本体７が略１８０度回転し、扉２の閉じ位置において、本体側部材５の端面５ｃと扉側部材本体７の端面７ｃとが略平行になる。扉２の閉じ位置において、左右方向から見て、本体側部材５と扉側部材本体７が略重なり合う。）。図１の扉２の閉じ位置において、関節継手６は、本体側部材５の凹部５ｂ及び扉側部材本体７の凹部７ｂに略完全に収容される。
【００１９】
図３に示すように、この実施形態のヒンジは、扉２の三次元調整機構を持つ。三次元調整機構は、上下調整ねじ３１ａ，３１ｂ、前後調整ねじ３２ａ，３２ｂ及び前後調整ねじ３３ａ，３３ｂを備える。本体側部材５に設けられる上下調整ねじ３１ａ，３１ｂを緩めることで、本体側部材５に対して関節継手６を上下方向に位置調整可能となる。また、前後調整ねじ３２ａ，３２ｂを緩めることで、本体側部材５に対して関節継手６を前後方向に位置調整可能となる。また、扉側部材本体７に設けられる前後調整ねじ３３ａ，３３ｂを回すことで、扉側部材本体７に対して関節継手６が前後方向に位置調整される。この三次元調整機構は、公知のものであり、省略することも可能であるので、詳しい説明を省略する。
【００２０】
ブラケット８は、扉側部材本体７が収容される外郭部２６と、外郭部２６と一体の第一挟持片２７と、第一挟持片２７との間で扉２を挟む第二挟持片２８と、を備える。外郭部２６は、縦長長円の開口２６ａを持つ箱形状である。外郭部２６の後方の壁部２６ｂからは、上下方向及び右方向に板状の第一挟持片２７が張り出す。後ろ方向から見た第一挟持片２７（図１に示す閉じ位置にある扉２を正面視するときの第一挟持片２７）は、縦長長方形状である。第一挟持片２７の端面２７ａ（図１参照）は、扉２の表面と実質的に平行な平面である。扉２のデサイン性を向上させるためである。
【００２１】
図５は、外郭部２６及び第一挟持片２７の詳細図を示す。図５（ａ）は図５（ｃ）のＡ−Ａ線断面図、図５（ｂ）は平面図（図３の前後方向から見た図）、図５（ｃ）は正面図、図５（ｄ）は底面図、図５（ｅ）は側面図を示す。
【００２２】
図５（ｂ）に示すように、平面視において、外郭部２６は長方形状である。外郭部２６の２つの角には、一対の円弧状の凸部４１が外郭部２６に繋がって設けられる。この凸部４１は、基端側の大径部４１ａと、先端側の小径部４１ｂと、を有する（図３参照）。図３に示すように、小径部４１ｂは、筒状であり、内面にねじ等の締結部材が螺合するねじ孔４１ｃを有する。小径部４１ｂには、第二挟持片２８の通し孔２８ａが嵌まる。第二挟持片２８との干渉を避けるために、小径部４１ｂの周辺の外郭部２６は削られる。扉側部材本体７は、扉２と平行に左右方向に延びるねじ等の締結部材２５によって、外郭部２６に固定される。図５（ａ）に示すように、外郭部２６には、締結部材２５が螺合するねじ孔２６ｃが設けられる。
【００２３】
図３に示すように、扉２には、略四角形の切欠き２ａが設けられる。切欠き２ａの２つの角には、第一挟持片２７の凸部４１に形状を合わせた一対の円弧状の補助切欠き２ａ１が設けられる。扉２の切欠き２ａ及び補助切欠き２ａ１には、外郭部２６及び凸部４１が嵌められる。これにより、扉２が外郭部２６に対して左右方向及び上下方向に位置ずれしたり、扉２が垂れ下がったりするのを防止できる。扉２の厚さは、外郭部２６の厚さ（図３の前後方向の厚さ）以下である。
【００２４】
第二挟持片２８は、第一挟持片２７と略同一の縦横寸法（上下方向及び左右方向寸法）を持つ板状である。第二挟持片２８にも外郭部２６に合わせた切欠き２８ｂが設けられていて、第二挟持片２８は略Ｃ字状である。第二挟持片２８は、外郭部２６に嵌められる。第二挟持片２８の角部には、ねじ等の締結部材４２が通る通し孔２８ａが設けられる。締結部材４２は、扉２に直交する方向（図３の前後方向）に延びる。第一挟持片２７と第二挟持片２８との間に扉２を挟み、締結部材４２を第一挟持片２７の凸部４１のねじ孔４１ｃに締めることで、ブラケット８に扉２を固定できる。第一挟持片２７と第二挟持片２８とは、扉２の厚み方向における外郭部２６の範囲内において、扉２を挟む。すなわち、第二挟持片２８の扉２側の端面（第二挟持片２８の図３の後ろ側の端面）は、外郭部２６の第二挟持片２８側の端面（外郭部２６の図３の前側の端面）よりも第一挟持片２７側に配置される。
【００２５】
第一挟持片２７と扉２との間には、第一スペーサ２９が介在する。第一スペーサ２９は、扉２の表面に沿う略Ｃ字形の薄板からなる本体部２９ａと、扉２の切欠き２ａに沿う縁部２９ｂと、を有する。第二挟持片２８と扉２との間には、第二スペーサ３０が介在する。第二スペーサ３０は、扉２の表面に沿う略Ｃ字形の薄板からなる本体部３０ａと、扉２の切欠き２ａに沿う縁部３０ｂと、を有する。第一及び第二スペーサ２９，３０は、樹脂製である。
【００２６】
以上に本実施形態のヒンジの構成を説明した。本実施形態のヒンジによれば、以下の効果を奏する。
【００２７】
扉側部材本体７を外郭部２６に収容し、外郭部２６から張り出す第一挟持片２７と第二挟持片２８との間で扉２を挟むので、ガラス扉等の薄い扉２の小口に関節継手６が収容される凹部７ｂを有する扉側部材本体７を取り付けることができる。
【００２８】
ここで、関節継手６を少なくとも第一及び第二リンク２１，２３から構成すると、扉側部材本体７の凹部７ｂも大きくなり易い。本実施形態のヒンジ１は、凹部７ｂが大きくなり易いヒンジに適する。
【００２９】
第一挟持片２７と第二挟持片２８とをねじ等の締結部材４２で締結することで、扉側部材４にしっかりと扉２を固定することができる。
【００３０】
第一及び第二挟持片２７，２８と扉２との間に第一及び第二スペーサ２９，３０を介在させるので、金属製の第一及び第二挟持片２７，２８が扉２に接触して扉２に疵が付くのを防止できる。
【００３１】
扉側部材４を扉側部材本体７とブラケット８とから構成し、締結部材２５によって扉側部材本体７をブラケット８の外郭部２６に締結することで、既存のヒンジにもブラケット８を取り付けることができる。
【００３２】
図６及び図７は、本発明の第二の実施形態のヒンジ５０を示す。この実施形態のヒンジ５０は折戸２，５１に適用される。この実施形態では、扉側部材４だけでなく本体側部材５２にも、ガラス扉等の扉５１が取り付けられる。このように、本発明の本体は、ガラス扉等の扉５１を含む。扉側部材４の構成は、図２、図３に示す第一の実施形態と同一なので、同一の符号を附してその説明を省略する。
【００３３】
本体側部材５２は、本体側部材本体５´と、本体側部材本体５´が取り付けられるブラケット８´と、を備える。本体側部材本体５´の構成は、図３に示す本体側部材５と同一なので、符号５´を附してその説明を省略する。図７に示すように、扉２の開き位置において、ブラケット８´は、ブラケット８と対称に配置される。ブラケット８´は、ブラケット８と同様に、外郭部２６と、外郭部２６と一体の第一挟持片２７と、第一挟持片２７との間で扉２を挟む第二挟持片２８と、を備える。これらの構成は、図３に示すブラケット８と同一なので、符号８´を附してその説明を省略する。
【００３４】
図８及び図９は、本発明の第三の実施形態のヒンジ６０を示す。図８は、枠３及び扉２に取り付けた状態のヒンジ６０を示し、図９は、枠３及び扉２から取り外した状態のヒンジ６０を示す。図３に示す第一の実施形態のヒンジ１では、扉側部材本体７とブラケット８の外郭部２６とが別体であり、扉側部材本体７が締結部材２５によってブラケット８の外郭部２６に取り付けられる。これに対し、この実施形態のヒンジ６０では、扉側部材本体７とブラケット８の外郭部２６及び第一挟持片２７とが一体である。扉側部材本体７、ブラケット８、本体側部材５の構成は、第一の実施形態のヒンジ１と略同一なので、同一の符号を附してその説明を省略する。
【００３５】
第三の実施形態のヒンジ６０において、扉側部材６１は、扉側部材本体７に一体の外郭部２６と、外郭部２６に一体の第一挟持片２７と、第一挟持片２７との間で扉２を挟む第二挟持片２８と、を備える。外郭部２６には、関節継手６の少なくとも一部が収容される凹部７ｂが設けられる。扉側部材本体７と外郭部２６とが一体である点を除いて、これらの構成は、第一の実施形態のヒンジ１と略同一なので、同一の符号を附して説明を省略する。第二挟持片２８の通し孔２８ａに締結部材４２を通し、締結部材４２を第一挟持片２７に締めることで、第一及び第二挟持片２７，２８の間に扉２を固定することが可能になる。
【００３６】
なお、本発明は上記実施形態に具現化されるのに限られることはなく、本発明の要旨を変更しない範囲でさまざまな実施形態に変更可能である。
【００３７】
例えば、扉には、ガラス扉以外にアクリル板等の樹脂製の扉、木製の扉、金属製の扉等を用いることができる。
【００３８】
例えば、関節継手には、１軸の回りを回転可能なアームを用いることができる。図１０は、本発明が適用可能な１軸タイプのヒンジ７０の斜視図を示す。このヒンジ７０は、枠等の本体に取り付けられる本体側部材７１と、扉に取り付けられる扉側部材本体７２と、を備える。扉側部材本体７２は、本体側部材７１に関節継手としてのアーム７３を介して回転可能に連結される。図１１の断面図に示すように、アーム７３の基端部は扉側部材本体７２に軸７４を介して回転可能に連結される。アーム７３の基端部は、扉側部材本体７２の凹部７２ａに収容される。アーム７３の先端部は、本体側部材７１に固定される。扉側部材本体７２に図３に示すブラケット８を取り付ければ、薄い扉を扉側部材本体７２に取り付けることができる。
【００３９】
本明細書は、２０１５年９月４日出願の特願２０１５−１７４４８９に基づく。この内容はすべてここに含めておく。
【符号の説明】
【００４０】
１…ヒンジ
２…扉
３…枠（本体）
４…扉側部材
５…本体側部材
５ｂ…本体側部材の凹部
６…関節継手
７…扉側部材本体
７ｂ…扉側部材本体（扉側部材）の凹部
８…ブラケット
２１…第一リンク
２２…第一補助リンク
２３…第二リンク
２４…第二補助リンク
２５…締結部材
２６…外郭部
２７…第一挟持片
２８…第二挟持片
２９…第一スペーサ
３０…第二スペーサ
４２…締結部材
５０…ヒンジ
５１…扉（本体）
５２…本体側部材
６０…ヒンジ
６１…扉側部材
【図１】
2017038228.tif 000003
【図２】
2017038228.tif 000004
【図３】
2017038228.tif 000005
【図４】
2017038228.tif 000006
【図５】
2017038228.tif 000007
【図６】
2017038228.tif 000008
【図７】
2017038228.tif 000009
【図８】
2017038228.tif 000010
【図９】
2017038228.tif 000011
【図１０】
2017038228.tif 000012
【図１１】
2017038228.tif 000013
【国際調査報告】
2017038228.tif 000014
2017038228.tif 000015
2017038228.tif 000016
2017038228.tif 000017